(57)【要約】      （修正有）【課題】医療器具が水平面にも取り付けられ、大きなスペースを占めず、使用に適した方向に高自由度で移動させることができる医療器具取付装置の提供。【解決手段】医療器具５を支持部分S,Rに解放可能に取り付けるための、第１終端部４５および第２終端部４７を備えた柔軟シャフト４３を有する取付器具３、および医療器具５および支持材S,Rに医療器具５を選択的に取り付け可能な柔軟シャフト４３を有する電動医療器具アセンブリ１。柔軟シャフト４３の第１終端部４５にある一般的にＣ形の留め部分４１により、取付器具３が支持部分S,Rに解放可能に取り付けられる。留め部分４１は、内面、外面、および少なくとも２つの開口部を有し、第１開口部には固定ロッド５１が貫通し、第２開口部には柔軟シャフト４３が解放可能に取り付けられる。【選択図】図１
2006326315.tif 000002
【特許請求の範囲】
【請求項１】
支持部分(S;R;PS)に器具(5)を解放可能なように固定する医療用のクランプ器具(3)であって、クランプ器具(3)は、
支持部分(S;R;PS)に取り付けるための第１終端部(45;275)および器具(5)に取り付けるための第２終端部(47;131)を有する柔軟シャフト(43;125;139;279)と、
前記支持部分(S;R;PS)に前記クランプ器具(3)を選択的に取り付けるため前記第１終端部(45;275)にある固定ロッド(51)および一般にＣ形の留め部分(41;217;273)を含むクランプ(37)と、を備え、
前記留め部分(41;217;273)は、内面(161;317)と、外面(165;225;301)と、前記固定ロッド(51)が貫通する第１開口部(177,199)および前記柔軟シャフト(43;125;139;279)を取り付けるための第２開口部(179;315)を含む少なくとも２つの開口部を有するクランプ器具(3)。
【請求項２】
前記内面(161;317)は前記支持部分(S;R;PS)が入る大きさの開口部(163)を有し、前記外面(165;225;301)は器具(5)のコード収納用のクランプ部分(41;217;273)と一体になった円筒陥凹(211;251)および当該陥凹(211;251)にコードを入れる軸方向スロット(213)を有する請求項1に記載のクランプ器具(3)。
【請求項３】
前記内面(161;317)は前記支持部分(S;R;PS)が入る大きさの開口部(163)を有し、前記支持部分(S;R;PS)は第１厚さ(T1)を有するポールおよび第２厚さ(T2)を有する平面支持部分(PS)の少なくとも１つから構成される請求項1または請求項２に記載のクランプ器具(3)。
【請求項４】
前記固定ロッド(51)に解放可能なように取り付けるため前記第１開口部(177,199)がネジ切りされた請求項１乃至３のいずれか１項に記載のクランプ器具(3)。
【請求項５】
前記クランプ器具(3)はネジ式締め具(261)をさらに備え、
前記第２開口部(179;315)が穴であり、
前記柔軟シャフト(43;125;139;279)が前記第１終端部(45;275)に取り付けられるネジ式ブッシュ(63;283)を有し、
前記留め部分(41;217;273)は、穴(179;315)を貫通してネジ式ブッシュ(63;283)に結合するネジ式締め具(261)によって柔軟シャフト(43;125;139;279)に固定される請求項１乃至４のいずれか１項に記載のクランプ器具(3)。
【請求項６】
前記柔軟シャフト(43;125;139;279)が前記第２終端部(47;131)におけるロック式カラー(65)を備え、
前記器具(5)がロック陥凹(23)を有する取付スタッド(19)を備え、
前記ロック式カラー(65)は、器具(5)に柔軟シャフト(43;125;139;279)を取り外し可能なように取り付けるロック陥凹(23)に解放可能なように結合する少なくとも１つの移動制止要素(111)を有する請求項１乃至５のいずれか１項に記載のクランプ器具(3)。
【請求項７】
前記ロック陥凹(23)は少なくとも１つの移動制止要素(111)が入る陥凹である請求項６記載のクランプ器具(3)。
【請求項８】
柔軟シャフト(43;125;139;279)が、複数のコイル(71)を有するコイルバネ(69;147)と、コイル(71)の間に配置され柔軟シャフト(43;125;139;279)および器具(5)を固定位置に保持する補剛材(75)と、バネ(69;147)および補剛材(75)を覆う被覆管(77)とを備える請求項１乃至７のいずれか１項に記載のクランプ器具(3)。
【請求項９】
被覆管(77)がプラスチックまたはゴム製である請求項８に記載のクランプ器具(3)。
【請求項１０】
柔軟シャフト(43;125;139;279)が、柔軟シャフト(43;125;139;279)の一部を形成するバネ(69;147)および柔軟シャフト(43;125;139;279)の別の部分を形成する管補剛材(129;145)を備える請求項１乃至７のいずれか１項に記載のクランプ器具(3)。
【請求項１１】
内面(161;317)は支持部分(S;R;PS)が入る大きさの開口部(163)を有し、外面(165;225;301)は開口部(163)の反対側に器具(5)のコード(33)を収納するブラケット(223)を有する請求項１乃至１０のいずれか１項に記載のクランプ器具(3)。
【請求項１２】
前記ブラケット(223)は留め部分(41;217;273)と一体的に形成され、空間をおいて反対側に位置する２つのＬ形突起部(227,229)を備え、各突起部(227、229)が器具(5)のコード(33)をブラケット(223)に巻きつける際にコード(33)を確実に収納するような形状になった請求項１１に記載のクランプ器具(3)。
【請求項１３】
支持材(S;R;PS)に選択的に取り付け可能な電動医療器具アセンブリ(1)であって、前記アセンブリ(1)は、
少なくとも患者の診断、モニター、および治療のいずれかに使用可能な電動医療器具(5)であり、筺体(11)および表示画面(13)を含む医療器具(5)と、
柔軟シャフト(43;125;139;279)の第１終端部(45;275)における医療器具(5)への接続に適し、柔軟シャフト(43;125;139;279)の第２終端部(47;131)における支持材(S;R;PS)への接続に適した柔軟シャフト(43;125;139;279)と、を備え、
前記柔軟シャフト(43;125;139;279)は、医療器具(5)および支持材(S;R;PS)に接続されている際に、医療器具(5)におけるある地点が支持材(S;R;PS)からの第１距離となるよう医療器具(5)が柔軟シャフト(43;125;139;279)で保持される第１位置から、医療器具(5)の当該地点が支持材(S;R;PS)からの第１距離とは異なる第２距離になるよう医療器具(5)が柔軟シャフト(43;125;139;279)で保持される第２位置まで、医療器具(5)が移動可能なように選択的に構成可能とされている電動医療器具アセンブリ(1)。
【請求項１４】
前記柔軟シャフト(43;125;139;279)は、医療器具(5)および支持材(S;R;PS)に接続されている際に、医療器具(5)の動作自由度が少なくとも２となり得るよう選択的に構成可能である請求項１３に記載の電動医療器具アセンブリ(1)。
【請求項１５】
前記柔軟シャフト(43;125;139;279)は、医療器具(5)および支持材(S;R;PS)に接続されている際に、医療器具(5)の動作自由度が６となり得るよう選択的に構成可能である請求項１３または請求項１４に記載の電動医療器具アセンブリ(1)。
【請求項１６】
前記柔軟シャフト(43;125;139;279)は、その第２終端部(47;131)に位置するクランプ(37)を備え、当該クランプ(37)は棒状の支持材(S;R;PS)および平面状の支持材(PS)に取り付けるために構成されている請求項１３乃至１５のいずれか１項に記載の電動医療器具アセンブリ(1)。
【請求項１７】
医療器具(5)は電源コード(33)を含み、クランプ(37)は医療器具(5)の電源コード(33)を収納位置に保持可能な固定具(223;211)を含む請求項１６に記載の電動医療器具アセンブリ(1)。
【請求項１８】
固定ロッド(51)が貫通する第１開口部(177,199)および柔軟シャフト(43;125;139;279)を解放可能なように取り付ける第２開口部(179;315)を含む少なくとも２つの開口部をクランプ(37)が有する請求項１６または請求項１７に記載の電動医療器具アセンブリ(1)。
【請求項１９】
柔軟シャフト(43;125;139;279)が当該柔軟シャフトの第１終端部(45;275)のコネクタ(65)を備え、前記コネクタ(65)が医療器具(5)との簡易脱着接続に適する請求項１３乃至１８のいずれか１項に記載の電動医療器具アセンブリ(1)。
【請求項２０】
コネクタ(65)は、電動医療器具(5)が柔軟シャフト(43;125;139;279)に固定される取付位置と、電動医療器具(5)が柔軟シャフト(43;125;139;279)から取り外し可能な開放位置との間で回転せずに直線的に移動することが可能なコネクタ動作構造(103)を備える請求項１９に記載の電動医療器具アセンブリ(1)。
【発明の詳細な説明】
【技術分野】
【０００１】
本発明は、一般的に医療器具用の支持装置分野、特に柔軟シャフトを有する医療器具取付装置に関係する。
【背景技術】
【０００２】
経腸栄養ポンプなどの医療器具は、通常、ポンプをポールクランプ、または支持部分に対し固定位置に保持する他の取付器具によって、点滴ポールまたはその支持部分に取り付けられる。従来のポールクランプの設計は、点滴ポールに対し複数の固定方向間で回転または捻ることによって、点滴ポールに対するポンプの動作自由度を1にできる。しかし、従来のポールクランプの設計は、ポンプの動作自由度を２以上にはできず、ポンプを見易くしたりポンプの操作を簡単にするため、点滴ポールに対し水平、垂直、または横方向にポンプを移動できない。
【０００３】
従来のポールクランプは、通常、ポンプ筺体が点滴ポールの近くになるよう、ポンプ筺体上に直接取り付けられる。であるから、従来のポールクランプで取り付けられるポンプは、他の器具や薬液容器に必要となり得る点滴ポールの垂直方向のスペースを大きく占める。
【０００４】
さらに、一部の従来のポールクランプは、点滴ポールなどの垂直円筒型支持構造に栄養ポンプをしっかりと取り付けられるが、水平テーブル面などの他の支持構造には簡単に取り付けることができない点で制限がある。従来のポールクランプが水平構造(水平に延長されるベッドレールなど)に取り付けられても、医療器具の使用に適切な方向に向けられない。従来のポールクランプでは、垂直型点滴ポールが利用できなかったり、垂直型点滴ポールが使い難い病院外または医療施設外において経腸栄養ポンプや他の医療器具を使用できない。
【発明の開示】
【０００５】
本発明の一形態において、支持部分に開放可能なように医療器具を固定する医療用のクランプ器具は、一般に、その支持部分取付用の第１終端部および医療器具取付用の第２終端部を有する柔軟なシャフトを備えている。第１終端部にある固定ロッドおよび通常Ｃ形の留め部分を含むクランプで支持部分にクランプ器具を選択的に取り付ける。当該クランプ部材は内面、外面、および固定ロッドが通る第１開口部と柔軟シャフトの取付用第２開口部を含む少なくとも２つの開口部がある。
【０００６】
本発明の別の形態において、支持材に選択的に取り付け可能な電動医療器具アセンブリは、一般に、患者の診断、モニター、および治療のうちの少なくとも１つに使用可能な電動医療器具を備える。当該医療器具には筺体および表示画面が含まれる。柔軟シャフトは柔軟シャフトの第１終端部で医療器具への接続に適し、さらに柔軟シャフトの第2終端部で前記支持材への接続に適する。柔軟シャフトが医療器具および支持材に接続されている際に、柔軟シャフトで医療器具が保持される第１位置から当該医療器具が動かせるよう、柔軟シャフトは選択的に構成できる。第１位置では、医療器具のある地点が支持材から第１距離となるよう医療器具が柔軟シャフトで保持され、第２位置では、医療器具の当該地点が支持材から第１距離とは異なる第２距離になるよう医療器具が柔軟シャフトで保持される。
【発明を実施するための最良の形態】
【０００７】
以下に、本発明の他の目的および特徴を一部明確にし、一部一部指摘する。
【０００８】
図面、特に図１および２において、電動医療器具アセンブリ1には支持部分S上で医療器具5を支持するために支持材に取り付けた解放可能なクランプ器具3が含まれる(一般に参照番号はそれらの対象を指定する)。図１の実施例では、支持部分Sは、病院や医療環境で点滴バッグ(図示せず)などの医療用品を支持するために一般的に使用されるスタンド(図示せず)から伸びる円筒棒Rを有する垂直型点滴ポール(概して「支持部分」)である。以下に詳細されるように、クランプ器具3は円筒形以外の支持部分に医療器具5を取り付けることが可能である。クランプ器具3は医療器具5がよく見え調節し易く配置できるよう支持部分Sに対し医療器具を完全に動かせるよう(すなわち動作自由度６)に構成される。クランプ器具3は、クランプで留めずに医療器具を取り付ける器具(たとえば、永久的取り付けも含む)が本発明の広範な範囲内に属すると理解されるため、当該クランプ器具は「取付器具」としてさらに広く説明されることもできる。
【０００９】
医療器具5は患者の診断、モニター、または治療に使用される任意の医療器具である可能性がある。図示した実施例では、医療器具5は容器(図示せず)から患者に栄養液送達の調整に使用される経腸栄養ポンプであるが、当該医療器具は支持材に一般的に取り付けられる他のどの種類の医療器具になり得るものと理解される。ポンプ5は筺体11、筺体正面でポンプの動作状態をモニターする表示画面13、およびポンプ調整のためのコントロールノブ15を有する。図3が示すように、ポンプ5はクランプ器具3への解放可能な取り付けのために筺体11背面に取り付けられる取付スタッド19を有する。取付スタッド19は円筒形で、複数の陥凹23を有する放射状外面および、筺体11上のネジ穴29に接合するネジニップル27を持つ。ポンプ5は、電力供給を受ける電気コンセント(図示せず)に接続するため筺体11に取り付けられる電気コード33を有する。ポンプ5は電池駆動式であることもあるため、本発明の範囲から逸脱することなく、当該ポンプから電気コード33を省略できるものと理解される。ポンプ5は流体(例、エア)駆動式であることも想像される。
【００１０】
クランプ器具3は、支持部分Sにアセンブリ1を解放可能に取り付けるための留め部分41および点滴ポールに当該クランプ器具を取り付けるために留め部分に解放可能なように取り付けられる固定ロッド51を有するクランプ37を含む。クランプ器具3は、第１終端部45で留め部分41に取り付けられ、さらに第２終端部47で医療器具5に解放可能なように取り付けられる柔軟シャフト43を含む。柔軟シャフト43は、ポンプ5に接続している際にポンプが支持部分Sに対して完全な動作自由度を有するように選択的に構成できる。支持部分Sに対するポンプ5の完全動作自由度は、ポンプが支持部分に対して６動作自由度を持つように、支持部分に対し三次元のいずれかの軸(例、X軸、Y軸、およびZ軸)におけるポンプの変位および、上記３軸のいずれかに対するポンプの回転あるいは方位角を変更する能力を含む。さらに、動かした場合、クランプ器具3は新しく選択されたその位置に医療器具5を保持する。
【００１１】
図４〜６が示すように、柔軟シャフト43は第１終端部45で通常管状の本体61に取り付けられる内部ネジ式ブッシュ63、および第２終端部47で取り付けられる簡易脱着コネクタ(ロック式カラー)65を有する管状本体61を持つ。図６が示すように、管状本体61は柔軟シャフト43の第１終端部45から第２終端部47に伸びる複数のコイル71を有するコイルバネ69を含む。柔軟シャフト43を硬化し、曲げたときに柔軟シャフトが固定位置に保持されるようコイル71の間に補剛材75が配置される。図示した実施例では、補剛材75は断面が三角形のワイヤを有するが、補剛材75は他の形状である場合があるものと理解される。補剛材75は、柔軟性があり、任意の方向にコイルバネ69を曲げたり捻ったりできるが、コイルバネ69が元の位置および形状に戻らない十分な抵抗性を有する。柔軟シャフト43の薄い外層となる被覆管77はコイルバネ69および補剛材75を覆う。被覆管77はプラスチック、ゴム、ビニール、または他の柔軟材で作られることが可能である。
【００１２】
特に図６では、柔軟シャフト43の第１終端部45に取り付けられるネジ式ブッシュ63は、その外端に軸方向のネジ穴81を有し、このネジ穴は、柔軟シャフト43のコイルバネ69および補剛材75が挿入される内端で軸方向の空洞85に開口している。ネジ式ブッシュ63は、ネジ穴81を囲っている環87を有し、この環87は、留め部分41に対してネジ式ブッシュ63を接続するために握ることのできる柔軟シャフト43の外面89を形成する。図3が示すように、ネジ式ブッシュ63の外側軸面はネジ穴81の直径よりもわずかに幅広い長方形の切り込み93を有する。
【００１３】
簡易脱着コネクタ65は柔軟シャフト43とポンプ5の取付スタッド19とを解放可能に接続するための「クイック切断」型コネクタである。図６および６Ａが示すように、簡易脱着コネクタ65は、取付スタッド19挿入のための軸方向外側空洞99を有するブッシュ97、コイルバネ69および補剛材75挿入のための軸方向内側空洞101、およびブッシュ97上でスライド可能なコネクタ動作構造(スリーブ)103を含む。ブッシュ97はブッシュの外側空洞99に開く放射状開口部107を有する。移動制止要素111は開口部107内に収まり、外側空洞99への放射状開口部を通って、少なくとも部分的に突き出る。図で示した実施例では、コネクタ65は２つの移動制止要素111を有するが、2つの移動制止要素は180度の間隔で離れ、ブッシュの各放射状開口部107内に挿入される金属球の形状をしている。本発明の範囲から逸脱することなく、簡易脱着コネクタ65は、２つ以上もしくは以下の移動制止要素111を有することがあり、移動制止要素は球状以外であることがあり、さらに180度以上もしくは以下の放射状の間隔があることがあると理解される。
【００１４】
スリーブ103は取付位置(図６)と解放位置(図６Ａ)との間でブッシュ97上でスライドさせることができる。ブッシュ97に取り付けられるバネ115は取付位置にスリーブ103を偏らせる。スリーブ103はショルダー119を有し、このショルダー119は、上記取付位置にてボール111に接触して、ボールの一部を外側空洞99に突出するようボールを放射状内側に押し出し、ボールがブッシュ97の中心軸から放射状に移動しないようにボールを固定する。バネ115を圧迫するよう柔軟シャフト43の第２終端部47に向いた矢印A1(図６)で示す方向にスリーブ103をブッシュ97上でスライドさせることによって、スリーブは解放位置になる。図６Ａの解放位置では、ショルダー119はボール111とかみ合わないので、ボール111はブッシュ97の外側空洞99から放射状に外側に移動可能である。
【００１５】
解放位置で簡易脱着コネクタ65のスリーブ103を持ち、取付スタッド19の外面21がブッシュ97の外側空洞99に入るように筺体上の取付スタッド19にブッシュ97を被せることによって、柔軟シャフト43がポンプに解放可能なように取り付けられると理解される。ブッシュ97および柔軟シャフト43は、ボール111が取付スタッド19の外面21上にあるロック陥凹23と揃うよう必要に応じて回転できる。ボール111が陥凹23に入るとき、バネ115はスリーブ103を取付位置に押し、さらにショルダー119はボールを放射状内側に押して、柔軟シャフト43とポンプ5とが確実にロックで接続されるよう、スリーブ103は解放される。取付スタッド19上にあるロック陥凹23とボール111とが接合すると、ポンプ5が柔軟シャフト43にロックされたことの確認となる「カチッ」という音がする。コネクタ65からポンプ5を解放するには、スリーブ103が解放位置にスライドされる。すると、ボールがロック陥凹23から出て外側空洞99から取付スタッド19が外れるよう、ボール111が外側空洞99から放射状に外側へと移動して解放されるので、取付スタッド19がブッシュ97から外れることが可能となる。したがって、スリーブ103は、柔軟シャフト43からポンプ5を速やかに外せるよう簡易脱着コネクタ65の取付位置と解放位置との間で回転せずに直線的に移動することが可能である。ポンプ5と柔軟シャフト43の他種の接続は本発明の範囲から逸脱することなく使用可能であると理解される。
【００１６】
別種の柔軟シャフトについての図６Ｂが示すように、シャフト125は、柔軟シャフトの第２終端部131に隣接する剛体材料(例、銅、プラスチックなど)から作られた管補剛材129を含む。管補剛材129は、柔軟シャフトが管補剛材129およびその部分の軸長に沿って実質的に硬く、バネ133の軸長に沿って柔軟であるよう柔軟シャフトの第２終端部131でバネ133の一部を取って代る。
【００１７】
図６Ｃは、コイルバネ147の中央を通って挿入される内部補剛材145を含む別の種類の柔軟シャフト139を示す。内部補剛材145は柔軟シャフト139の硬度を増すが、柔軟シャフトの全長を柔軟にする。内部補剛材145は柔軟シャフト139のいずれかの終端部で固定位置に支持可能な重量を増加する。管補剛材129（図６Ｂ）および内部補剛材145は柔軟シャフト125、139に必要な特定量の剛性または硬度によって、色々な軸長が可能であることが理解される。
【００１８】
図７および８が示すように、留め部分41は、通常Ｃ形であり、点滴ポールまたは他の支持部分Sと接する内面161、当該支持部分を挿入する開口部163、および外面165を有する。図８の方向で示すように、留め部分41は、下部169および中央部171が約90度の角度を有する屈曲部173において接するよう、中央部171に通常垂直となる当該留め部分底部に下部169を有する。留め部分41の下部ネジ穴177は下部169を貫通し、ネジ穴なしの円筒開口部179は中央部171を貫通する。中央部171は留め部分41の外面165から突き出た長方形ショルダー183を有する。長方形ショルダー183は、柔軟シャフト43が留め部分41に接続される際、柔軟シャフト43の第１終端部45のネジ式ブッシュ63にある長方形の切り込み93（図３）に入る大きさになっている。
【００１９】
中央部と第１上部が90度を超える角度で屈曲部189に接するよう、留め部分41の第１上部187は中央部171に対し上向きに屈曲する。第１上部と第２上部とが留め部分41の上部屈曲部195で接するよう、第２上部193は第１上部187に対し下向きに屈曲する。上部ネジ穴199が留め部分41の下部169にある下部穴177と軸が揃うよう、当該上部穴は第１上部187と第２上部193との間の上部屈曲部195に位置する。
【００２０】
図７および８が示すように、第１上部187は、その外面上に2つのほぼ半円筒の突起部205、207を有し、これらが第１上部で円筒陥凹211を形成する。ＡＣ電源アダプタコード(図示せず)を使用中でないとき、円筒陥凹211は、コードの収納場所となる。２つの突起部205、207は、陥凹211にポンプ5の電源アダプタコードまたは他のコードを収納可能にする軸方向スロット213で分離されている。
【００２１】
図９は、図7の実施例に実質的に類似するが、留め部分の中央部219はポンプ5の電気コード33（図３）または他のケーブルを収納するために外面225にブラケット223を有する別の様式の留め部分217を示している。図９の実施例では、ブラケット223は、留め部分217の中央部219の外面225から突き出た、反対(背中合わせ)の方向に間隔を空けた2つのＬ型のフィンガー227、229を含む。各フィンガー227、229は、90度の屈曲部243、245で結合されたそれぞれの第１部分235、237および第２部分239、241を有する。各フィンガー227、229の第２部分239、241は、第１部分235の電気コード33（図３）がブラケット223に巻かれる際に、電気コード33を保持する。
【００２２】
図９の留め部分217の第２上部247は、円筒陥凹251に隣接し、留め部分217の外面225から突出するタブ249を有する。タブ249は、ポンプ5の筺体11に留め部分217を直接取り付ける(つまり、柔軟シャフト43、125、139を省略する)ためのものである。タブ249は、ポンプ筺体11に留め部分217を直接取り付けるネジ式締め具(図示せず)を挿入する円筒穴253を有する。図示した実施例では、コードブラケット223およびタブ249はＣ形の留め部分217と一体的に形成されるが、ブラケットやタブは溶接または他の取付方法で留め部分に取り付け可能な別個の部品でもよいと理解される。
【００２３】
図３に示すように、柔軟シャフト43は、留め部分の中央部171の開口部179を通って挿入されるネジボルト261または他の締め具で留め部分41に取り付けられ、さらに柔軟シャフト43の第１終端部45のネジ式ブッシュ63でネジ式接合される。柔軟シャフト43上のネジ式ブッシュ63の軸方向外面が留め部分41の中央部171の外面165に接するとき、留め部分41の中央部171上のショルダー183は柔軟シャフト43と留め部分41の位置が揃うようネジ式ブッシュ63の切り込み93内に入る。さらに、ネジ式ブッシュ63の切り込み93と留め部分41のショルダー183が接合することによって、ネジ式締め具261がブッシュにねじ込まれるとき、ブッシュが回転しなくなる。柔軟シャフト43と留め部分41とがネジ接合するため、ネジ式締め具261を取り外すことによって、柔軟シャフトおよび留め部分を分解し、他の部品(例、より長いまたは短い柔軟シャフト、剛性が一層増加または減少した柔軟シャフト、または異なった形状の留め部分)と交換できる。本発明の範囲から逸脱せずに、柔軟シャフト43は他の取付機構(例、簡易脱着コネクタ、リベットなど)で留め部分41に接続可能なことが理解される。
【００２４】
図１０〜１２は、留め部分273と柔軟シャフト279の第１終端部275との代替接続を有する第２実施例の固定装置構成要素を示す。図１０が示すように、当該実施例の柔軟シャフト279は、第１終端部275に、ネジ式ブッシュ283の軸方向外面で６つの放射状平面287（図１０では２つのみを表示）を有する六角頭管継手285を伴うネジ式ブッシュ283を有する。ブッシュ283は、ネジ式締め具(図示されていないが、図３に示された締め具と同じ)を受容するためのネジ穴291を有するとともに、柔軟シャフト279の第１終端部275にて軸方向外平面293を有する。
【００２５】
図１１〜１２は、図１０のネジ式ブッシュ283の軸方向外平面293と接合する中央部299を有する留め部分273を示す。留め部分273の中央部299の外面301は、間隔を空けた2つのショルダー305、307、および当該ショルダー間の実質的に平坦な接触面311を有する。留め部分273の中央部299にある円筒開口部315は、留め部分の内面317から外面301の接触平面311までで中心的に位置する開口部である。
【００２６】
当該実施例では、ブッシュ283のネジ穴291と当該留め部分の中央部299にある円筒開口部315とを軸方向に揃えることによって、柔軟シャフト279は留め部分273に接続される。ネジ式ブッシュ283の軸方向外平面293は、ネジ式締め具261(図3)が円筒開口部315を貫通し、柔軟シャフト279および留め部分273に接続するよう、当該留め部分の接触平面311に接する。中央部299の外面上の両ショルダー305と307との間の距離は、ネジ式締め具261がネジ穴291に挿入される際にネジ式ブッシュ283が回転しないよう、当該ショルダー間に当該ブッシュの六角頭管継手の反対側の放射状平面287がフィットするようになっている。ショルダー305、307とネジ式ブッシュ283の六角頭管継手285の各放射状平面287との接合は、柔軟シャフト279を留め部分273に接続中、固定位置にネジ式ブッシュを保持したままレンチまたは他の工具を使用せずに、ネジ式締め具261を当該ブッシュのネジ穴291にねじ込むことを可能にする。
【００２７】
支持部分Sが開口部163に入り、留め部分41の内面161に接触するように留め部分を配置することによって、留め部分は支持部分Sに取り付けられる。固定ロッド51は、留め部分41の上下のネジ穴199、177の１つにネジ込むネジ式軸327およびノブ325を有し、さらに留め部分41を支持部分Sに固定するために支持部分に接触する。本発明の留め部分41は、ポンプ5が様々な場所で取り付け可能なよう多様な形状の支持部分Sを挿入できる形状になっている。たとえば、クランプ器具3は、縦型の点滴スタンドS（図１および２)などのポールまたは水平ベッドレールポールBR（図１３）に取り付けることができる。図１４および１４Ａが詳しく示すように、固定ロッド51は、固定ロッドがポールSの外面に接触するよう、留め部分41の下部ネジ穴177を貫通してネジ込まれる。固定ロッド51の反対にあるポールSの表面は、留め部分41の第１および第２上部分187、193と接触する位置になる。クランプ器具3および医療器具アセンブリ1はポールが留め部分41と確実に噛み合うように固定ロッド51を締めることによって支持部分Sに固定される。
【００２８】
図１５および１５Ａが示すように、クランプ器具3はテーブル面または他の平面支持部分PSに医療器具5をクランプで固定するために構成されることが可能である。本配置では、固定ロッド51は、テーブル面PSの上面USに接触するよう留め部分41の上ネジ穴199を通ってネジ込まれる。テーブルPSが固定ロッド51と留め部分との間でクランプで固定された状態に保持されるよう、テーブル面PSの下面LSは留め部分41の下部169の内面161に接触する。固定ロッド51がテーブルの上面USに固定され、テーブルの下面LSが留め部分41の内面161としっかりと接触するよう、固定ロッド51のノブ325を回転することによって、クランプ器具3はテーブルPSに固定される。
【００２９】
本発明の留め部分41はポンプ5を円筒面S（図１４）または平面PS（図１５）のいずれにでも取り付け可能にすると理解される。したがって、ポンプ5は、医療環境において、点滴ポール、水平もしくは垂直方向のベッドレール、車椅子の管状部、または病院もしくは他の医療施設で一般的な他の支持材に便利に取り付けることができる。さらに、ポンプ5は、テーブルPSまたは家庭もしくは医療施設外の他の状況で使用する他の構造に取り付け可能である。ポンプ5の取り付けに適する他の支持構造には、電動スクーターや電動車椅子、複数要素を有するカート、ドア、テーブル、キャビネット、ベッドスタンド、カウンター、椅子、医用トレー、テレビ台、および机が含まれるが、これらに限定されるものではない。さらに、留め部分41は、第１の厚さT1（図１４Ａ）を有するポールS、またはポールの厚さよりも分厚いまたは薄いことがある厚さT2（図１５Ａ）の一般的な平面を有するテーブルPSを挿入できる。
【００３０】
本発明の柔軟シャフト43は支持部分Sに対しポンプ5の動作自由度６を可能にする。ポンプ5は、筺体11(例、筺体正面)のある地点が支持材からの第１距離D1となるようポンプが固定位置に柔軟シャフト43で保持された第１位置(図１および２)に取り付けられることができる。ポンプ5の筺体11に負荷を加えることによって、筺体の上記の地点が支持部分Sからの第１距離D1よりも長い第２距離D2となる固定位置にポンプが柔軟シャフトで保持される状態の第２位置(図2の移動させた際の図)に移動するよう柔軟シャフト43は操作できる。ポンプ5は、距離D2が距離D1よりも短い第２位置でポールSに近づけることができると理解される。また、ポンプ5は、ポンプの表示画面13を見易くするため、ポンプを越えて、支持材Sに対し垂直の水平軸(例、図１および２のX軸)に対して上下に傾けることができる。さらに、ポンプ5は表示画面13を見たり、またはコントロール15を操作するため、垂直軸(例、図１および２のY軸)に対して左右に傾けることができる。ポンプ5は、表示画面13を見易くするため方向を変えることができるよう、支持材Sとポンプが交差可能な水平軸A2で捻る(つまり回転させる)ことができる。本発明の範囲から逸脱することなく、当該水平軸A2が支持材Sを交差しないようポンプ5を配置できるものと理解される。また、支持材Sに対するポンプ5の位置を制限する唯一の要因が柔軟アームの長さとなるように、支持材とポンプの交差線に沿った任意の場所に柔軟シャフト43でポンプを移動できる。
【００３１】
本発明または好適な実施例の諸要素は、諸要素の1つ以上が存在することを意味するよう意図している。
【００３２】
上記を考慮すると、本発明のいくつかの目的が達成され、他の有利な結果が実現されることが分る。
【００３３】
本発明の範囲から逸脱せずに、上記構造に多様な変更を加えることが可能であるので、上記の説明に含まれる事項または添付の図に示される事項はすべて一例であり限定的な意味で解釈されてはならないことを意図する。さらに、本文に記載の全寸法情報は一例に過ぎず、本発明の範囲を限定するものではない。本発明の特定の実施例はいずれも、本文に説明され、図示されている通り、本発明の1つ以上の特徴または機能を含むことが可能であると理解される。
【図面の簡単な説明】
【００３４】
【図１】図１は、点滴ポールに経腸栄養ポンプを取り付けたクランプ器具の第１実施例の透視図である。
【図２】図２は図１の左側立面図である。
【図３】図３は分解されたクランプ器具および医療器具の背面透視図である。
【図４】図４はクランプ器具の柔軟シャフトの側面立面図である。
【図５】図５は柔軟シャフトの端面図である。
【図６】図６は図5の線６−６を含む平面のシャフト断面図である。
【図６Ａ】図６Ａは解放位置にある柔軟シャフトのスリーブを示す図６の拡大詳細図である。
【図６Ｂ】図６Ｂは第１の修正された別の柔軟シャフトの縦断面である。
【図６Ｃ】図６Ｃは第２の修正された別の柔軟シャフトの縦断面である。
【図７】図７はクランプ器具留め部分の第１様式の拡大透視図である。
【図８】図８は図７の留め部分の横断面である。
【図９】図９は留め部分の第２様式の拡大透視図である。
【図１０】図１０は第２実施例のクランプ器具の柔軟シャフトの縦断面である。
【図１１】図１１は第２実施例のクランプ器具の留め部分の透視図である。
【図１２】図１２は図１１の留め部分の横断面である。
【図１３】図１３はサイドレールのあるベッドに第１実施例のクランプ器具を取り付けたベッドの部分的側面立面図である。
【図１４】図１４は柔軟シャフトを取り外した第１実施例のクランプ器具および留め部分を付けた円筒ポールの一部の透視図である。
【図１４Ａ】図１４Ａは図１４の１４Ａ−１４Ａの平面に沿った断面図である。
【図１５】図１５は図１４に類似するが、留め部分を取り付けた平面のテーブル部分の透視図である。
【図１５Ａ】図１５Ａは図１５の１５Ａ−１５Ａの平面に沿った断面図である。
【符号の説明】
【００３５】
1…医療器具アセンブリ、3…クランプ器具、5…ポンプ（器具）、19…取付スタッド、33…電気コード、37…クランプ、41…留め部分、43…柔軟シャフト、45…第１終端部、47…第２終端部、51…固定ロッド、63…内部ネジ式ブッシュ、65…簡易脱着コネクタ（ロック式カラー）、69…コイルバネ、71…コイル、75…補剛材、77…被覆管、103…スリーブ（コネクタ動作構造）、111…ボール（移動制止要素）、25…柔軟シャフト、129…管補剛材、131…第２終端部、139…柔軟シャフト、145…内部補剛材（管補剛材）、147…コイルバネ、161…内面、163…開口部、165…外面、177…下部ネジ穴（第１開口部）、179…円筒開口部（第２開口部）、199…上部ネジ穴（第１開口部）、211…円筒陥凹、213…軸方向スロット、217…留め部分、223…コードブラケット、225…外面、227…フィンガー（Ｌ形突起部）、229…フィンガー（Ｌ形突起部）、251…円筒陥凹、261…ネジボルト（ネジ締め具）、273…留め部分、275…第１終端部、279…柔軟シャフト、283…ネジ式ブッシュ、301…外面、315…円筒開口部（第２開口部）、317…内面、D1…第１距離、D2…第２距離、PS…平面支持部分（支持部分）、R…円筒棒（支持部分）、S…ポール（支持部分）
【図１】
2006326315.tif 000003
【図２】
2006326315.tif 000004
【図３】
2006326315.tif 000005
【図４】
2006326315.tif 000006
【図５】
2006326315.tif 000007
【図６】
2006326315.tif 000008
【図６Ａ】
2006326315.tif 000009
【図６Ｂ】
2006326315.tif 000010
【図６Ｃ】
2006326315.tif 000011
【図７】
2006326315.tif 000012
【図８】
2006326315.tif 000013
【図９】
2006326315.tif 000014
【図１０】
2006326315.tif 000015
【図１１】
2006326315.tif 000016
【図１２】
2006326315.tif 000017
【図１３】
2006326315.tif 000018
【図１４】
2006326315.tif 000019
【図１４Ａ】
2006326315.tif 000020
【図１５】
2006326315.tif 000021
【図１５Ａ】
2006326315.tif 000022